(57)【要約】【課題】組立性に優れるとともに装置の軽量化・低コスト化を図ることができる体重体組成計を提供する。【解決手段】被検者の身体インピーダンスを測定するための電極１０Ｌ、１０Ｒ、１１Ｌ、１１Ｒと、被検者の体重を測定するための荷重センサ１３ａ〜１３ｄと、電極及び荷重センサとリード線を介して接続される電子回路基板１９と、被検者の体重を支えるのに必要な剛性を有するように構成された補強構造を備えるとともに、上面が開口され、電極、荷重センサ及び電子回路基板を互いに配線して取り付けることができる樹脂製のハウジング本体１ａと、被検者を載せる被荷重面と、被検者の身体の一部と接触しうるように電極を被荷重面に露出させる開口部と、を有し、ハウジング本体１ａの開口した上面を覆うように取り付けられる樹脂製のハウジングカバー１ｂと、を備えることを特徴とする。【選択図】図４
2010011985.tif 000002
【特許請求の範囲】
【請求項１】
被検者の身体インピーダンスを測定するための電極と、
被検者の体重を測定するための荷重センサと、
前記電極及び前記荷重センサとリード線を介して接続される電子回路基板と、
被検者の体重を支えるのに必要な剛性を有するように構成された補強構造を備えるとともに、上面が開口され、前記電極、前記荷重センサ及び前記電子回路基板を互いに配線して取り付けることができる樹脂製のハウジング本体と、
被検者を載せる被荷重面と、被検者の身体の一部と接触しうるように前記電極を前記被荷重面に露出させる開口部と、を有し、前記ハウジング本体の開口した上面を覆うように取り付けられる樹脂製のハウジングカバーと、
を備えることを特徴とする体重体組成計。
【請求項２】
前記補強構造が、ハウジング本体内部に複数の補強リブを設けた構造であることを特徴とする請求項１に記載の体重体組成計。
【請求項３】
前記リード線が、前記複数の補強リブ間に形成される隙間を通して配線されることを特徴とする請求項２に記載の体重体組成計。
【発明の詳細な説明】
【技術分野】
【０００１】
本発明は、体重体組成計に関するものである。
【背景技術】
【０００２】
従来の体重体組成計の中には、被検者の身体インピーダンスを測定するための電極を、被検者を載せる本体ハウジングの被荷重面に配したものがある。この種の体重体組成計は、被検者の体重を測定するための荷重センサや、電極及び荷重センサにリード線を介して接続された電子回路基板等が、本体ハウジング内に収容された構成となっている。
【０００３】
従来の体重体組成計のハウジング構造は、板金からなる上面開口のグランドハウジング内部に、荷重センサや電子回路基板が取り付けられ、グランドハウジングの開口部を覆うように取り付けられる樹脂製のフロントハウジングの被荷重面に、電極が貼り付けられた構成となっている。本体ハウジングは、被検者が載ってもほとんど変形を生じない剛性を有している必要がある。そのため、ハウジング全体を金属で構成したものも従来は多かったが、近年では、軽量化及び低コスト等の観点から、上記のようにハウジングの一部を樹脂成材で構成したものが多い。
【０００４】
図６を参照して、従来の体重体組成計のハウジング構造について説明する。図６は、従来例に係る体重体組成計の本体ハウジングの分解斜視図である。
【０００５】
本体ハウジング１００は、フロントハウジング１０１と、グランドハウジング１０２とから構成されている。フロントハウジング１０１は、樹脂成形品であり、被検者の身体インピーダンスを測定するための電極（不図示）が被荷重面１０１ａに取り付けられている。また、本体ハウジング１００における内部側となるフロントハウジング１０１の下面には剛性を付与するために補強リブが設けられている。グランドハウジング１０２は、板金で構成されており、四隅に設けられた脚部１０２ａに荷重センサとしての歪ゲージ（不図示）が取り付けられている。また、本体ハウジング１００における内部側となるグランドハウジング１０２の上面に歪ゲージとリード線（不図示）を介して接続された電子回路基板１０３が取り付けられている。
【０００６】
本体ハウジング１００の組立は、まず、電極をフロントハウジング１０１の被荷重面１０１ａに取り付けるとともに、歪ゲージ及び電子回路基板１０３をリード線で接続してグランドハウジング１０２の所定取付箇所に位置決め固定する。次に、フロントハウジング１０１とグランドハウジング１０２とが分かれた状態で、電極と電子回路基板１０３とをリード線１０４で接続し、最後に、フロントハウジング１０１をグランドハウジング１０２に被せるように取り付ける。
【０００７】
フロントハウジング１０１とグランドハウジング１０２との取付工程においては、両者がリード線１０４でつながった状態で取り付けられることになる。したがって、リード線１０４の長さやたわみ具合等によっては、フロントハウジング１０１とグランドハウジング１０２とを接合する際に、その接合面にリード線１０４をかみ込んでしまう場合がある。このようなリード線１０４のかみ込みは、組立作業の作業性を悪くするとともに、工場での歩留りを悪くする結果となる。
【０００８】
このようなリード線１０４のかみ込みを防止するために、リード線によって直接接続するのではなく、例えば、板ばね等により接触させることで電気的に接続する構成も考えられる。しかし、このような構成は、以下のように体重体組成計においては採用し難い。
【０００９】
インピーダンス測定用電極は、検出される信号が非常に微弱なものであり、オペアンプ等の増幅回路によって増幅してから制御回路に出力する必要がある。したがって、従来では、例えば、ファストン端子によってリード線と電極や電子回路基板とを接続して接触抵抗を一定の低さに保つことによって精度を確保するようにした構成が一般的に採用されている。そのため、前述のように板ばねによって接続するようにしてしまうと、荷重がかかった際に接触部分に力がかかることによって接触抵抗が変化してしまう場合があり、測定精度に大きな影響を与えてしまう可能性があり、実用化は困難である。
【００１０】
また、例えば、ハウジングの組立後にハウジング内部にリード線を挿入し、そのリード線を電子回路基板に接続する方法は、接続のための専用の治具等が必要となり、コストアップにつながることになる。
【００１１】
したがって、従来においては、ハウジング内部に配置された電子回路基板とハウジングの外表面に取り付けられる電極とをリード線で接続するため、前述のように、リード線を予め電極と電子回路基板とに接続した状態でハウジングの組立を行っていた。
【００１２】
また、ハウジングのさらなる軽量化や低コスト化の要請は常に存在するものであり、より取扱性、生産性に優れたハウジング構造の提案が求められている。
【発明の開示】
【発明が解決しようとする課題】
【００１３】
本発明の目的は、組立性に優れるとともに装置の軽量化・低コスト化を図ることができる体重体組成計を提供することにある。
【課題を解決するための手段】
【００１４】
上記目的を達成するために、本発明における体重体組成計は、
被検者の身体インピーダンスを測定するための電極と、
被検者の体重を測定するための荷重センサと、
前記電極及び前記荷重センサとリード線を介して接続される電子回路基板と、
被検者の体重を支えるのに必要な剛性を有するように構成された補強構造を備えるとともに、上面が開口され、前記電極、前記荷重センサ及び前記電子回路基板を互いに配線して取り付けることができる樹脂製のハウジング本体と、
被検者を載せる被荷重面と、被検者の身体の一部と接触しうるように前記電極を前記被荷重面に露出させる開口部と、を有し、前記ハウジング本体の開口した上面を覆うように取り付けられる樹脂製のハウジングカバーと、
を備えることを特徴とする。
【００１５】
このように、ハウジング全体を樹脂材料で構成することにより、体重体組成計の軽量化、材料コストの低減を図ることができる。また、被検者の体重を支えるために必要な剛性を、ハウジング本体側に持たせて、その上面をハウジングカバーで覆う構成とすることにより、ハウジングカバーの設計の自由度を大きくすることができる。したがって、装置の外観に大きく影響する被荷重面のデザイン変更が容易となり、デザイン性に優れたものとすることができる。
【００１６】
また、ハウジングカバーを取り付ける前に、ハウジング本体側で電極、荷重センサ及び電子回路基板間の配線を全て完結させることができるので、従来のように、ハウジングカバーをハウジング本体に取り付ける際にハウジングカバーとハウジング本体と間がリード線でつながるような状態とならない。したがって、ハウジングカバーをハウジング本体に取り付ける際に、リード線がハウジングカバーとハウジング本体との接合面にかみ込まれ
ることを防止することができる。
【００１７】
また、電極の取り付けに関しては、ハウジングカバーをハウジング本体に取り付けた後で行うこともできる。すなわち、ハウジングカバーが取り付けられた後で、電極を、ハウジングカバーの開口部を介して、電子回路基板と接続されたリード線と接続してハウジング本体に取り付けることができる。この場合、ハウジングカバーが既にハウジング本体に取り付けられているので、電極と電子回路基板とを接続するリード線がハウジングカバーとハウジング本体との接合面にかみ込まれる心配がなくなる。
【００１８】
前記補強構造が、ハウジング本体内部に複数の補強リブを設けた構造であるとよい。
【００１９】
これにより、樹脂材からなるハウジングの剛性を強化するとともに、ハウジングの軽量化を図ることができる。
【００２０】
前記リード線が、前記複数の補強リブ間に形成される隙間を通して配線されるとよい。
【００２１】
このように、補強リブ間に形成される隙間を利用してリード線を配線することにより、ハウジングの剛性強化及び軽量化と、リード線の位置決めとを同時に達成することができる。
【発明の効果】
【００２２】
以上説明したように、本発明により、組立性に優れるとともに装置の軽量化・低コスト化を図ることができる。
【発明を実施するための最良の形態】
【００２３】
以下に図面を参照して、この発明を実施するための最良の形態を、実施例に基づいて例示的に詳しく説明する。ただし、この実施例に記載されている構成部品の寸法、材質、形状、その相対配置などは、特に特定的な記載がない限りは、この発明の範囲をそれらのみに限定する趣旨のものではない。
【００２４】
（実施例）
図１〜図５を参照して、本発明の実施例に係る体重体組成計について説明する。図１は、体重体組成計全体の概略構成を示す模式図である。図２は、体重体組成計の使用状態を示す模式図である。図３は、体重体組成計の制御構成を示すブロック図である。図４は、体重体組成計本体の模式的分解斜視図である。図５は、体重体組成計本体の組立工程を説明する模式的平面図であり、（ａ）は荷重センサ及び電子回路基板を互いに配線してハウジング本体に取り付けた状態、（ｂ）は電極を電子回路基板と配線してハウジング本体に取り付けた状態、（ｃ）はハウジングカバーをハウジング本体に取り付けた状態、をそれぞれ示している。
【００２５】
＜体重体組成計の構成＞
主に図１及び図２を参照して、体重体組成計全体の概略構成について説明する。
【００２６】
図１に示すように、体重体組成計は、概略、本体１と保持部（表示操作部）２とから構成される。本体１と保持部２は、ケーブル３で接続されており、信号の送受信が可能である。なお、本体１と保持部２とを無線通信により接続する構成でもよい。非使用時は、本体１の保持部収納部１４に、保持部２及びケーブル３が収納される。
【００２７】
本体１の上面（被荷重面）には、４つの足用電極１０Ｌ、１０Ｒ、１１Ｌ、１１Ｒが設けられている。電極１０Ｌ、１０Ｒは、左右の足裏に電流を印加するための電極であり、
電極１１Ｌ、１１Ｒは、左右の足裏から電圧を検知するための電極である。
【００２８】
本体１の下面の四隅には、床面に接して本体１を支える脚部１２ａ、１２ｂ、１２ｃ、１２ｄが設けられている。これら脚部１２ａ、１２ｂ、１２ｃ、１２ｄの内部には、体重を測定するための荷重センサとして、歪ゲージ１３ａ、１３ｂ、１３ｃ、１３ｄが設けられている。
【００２９】
保持部２には、左右のグリップ２０Ｌ、２０Ｒ、表示部２１、操作部２２、などが設けられている。表示部２１は、測定結果やガイダンス等を表示する部分であり、例えば液晶ディスプレイから構成される。操作部２２は、年齢、性別、身長等の利用者情報の入力、登録番号（利用者）の選択、その他の情報入力のためのユーザインターフェイスを備えている。タッチパネル式のディスプレイを用いて、表示部２１と操作部２２を共通のハードウエアで構成するものであってもよい。
【００３０】
グリップ２０Ｌ、２０Ｒにはそれぞれ、手のひらに電流を印加するための電極２４Ｌ、２４Ｒと、手のひらから電圧を検知するための電極２５Ｌ、２５Ｒと、が設けられている。
【００３１】
以上のように構成された体重体組成計は、図２に示すように、被検者が、本体１の上面の電極１０Ｌ、１１Ｌに左足を載せ、電極１０Ｒ、１１Ｒに右足を載せ、保持部２の左のグリップ２０Ｌの電極２４Ｌ、２５Ｌを左手で握り、右のグリップ２０Ｒの電極２４Ｒ、２５Ｒを右手で握り、腕を水平に伸ばして肩と略同じ高さで保持部２を保持することにより使用される。
【００３２】
主に図３を参照して、体重体組成計の制御構成を説明する。
【００３３】
図３に示すように、保持部２は、制御部２６、体組成を測定する手段としてのインピーダンス測定部２７、記憶部２８、電源２９などを内蔵している。また、本体１は、荷重センサが接続される体重を測定する手段としての体重測定部１９ａや、足用電極が接続されるインピーダンスインタフェース１９ｂなどを内蔵している。これら体重測定部１９ａやインピーダンスインタフェース１９ｂなどは、電子回路基板１９上に設けられている。
【００３４】
制御部２６は、ＣＰＵ（演算処理装置）、メモリなどから構成されるもので、ＣＰＵがプログラムを実行することにより、体重及びインピーダンスの測定値と記憶部２８から読み込んだ利用者の身体特定化情報に基づいて、種々の体組成成分（体脂肪や内臓脂肪等）の推定や、体組成値の変化の度合いの判定等、種々の処理を行い、処理結果を表示部２１に表示するように構成されている。ただし、制御部２６が担う機能の一部又は全部を専用のチップで構成しても構わない。
【００３５】
体重測定部２３は、歪ゲージ１３ａ、１３ｂ、１３ｃ、１３ｄで検出される抵抗値の変化を検知することによって、被検者の体重を測定する手段である。
【００３６】
インピーダンス測定部２７は、制御部２６の制御に従って、足用電極１０Ｌ、１０Ｒ及び手用電極２４Ｌ、２４Ｒから生体に所定の電流を印加し、足用電極１１Ｌ、１１Ｒ及び手用電極２５Ｌ、２５Ｒで電圧を検知することによって、体内のインピーダンスを測定する手段である。
【００３７】
記憶部２８は、不揮発性メモリなどの記憶媒体から構成される。記憶部２８には、制御部２６によって体重及び体組成の測定結果（測定値）などが時系列に利用者別（登録番号別）に格納される。また、記憶部２８には、各利用者の身体特定化情報（性別、年齢、身
長）も格納されている。本実施例の体重体組成計では複数（例えば４人）の利用者を登録可能であり、操作部２２で登録番号を指定することにより利用者を選択することができる。
【００３８】
体重及び体組成の測定を行う際の具体的な処理の流れや、体重測定部２３、制御部２６及びインピーダンス測定部２７の具体的な処理の内容等については、公知の手法を適宜採用することができるので、ここでは説明を省略する。
【００３９】
＜体重体組成計本体のハウジング構造＞
主に図４を参照して、本体１のハウジング構造について説明する。
【００４０】
図４に示すように、本体１は、概略、ハウジング本体１ａと、ハウジングカバー１ｂとから構成されている。ハウジング本体１ａ及びハウジングカバー１ｂはいずれも樹脂成形品である。樹脂材料としては、例えば、ＡＢＳ樹脂やポリカーボネート等が挙げられる。
【００４１】
ハウジング本体１ａは、上面が開口した筐状部材であり、下面の四隅に脚部１２ａ、１２ｂ、１２ｃ、１２ｄが設けられている。また、ハウジング本体１ａは、被検者の体重を支えるのに必要な剛性を有する補強構造を備えている。具体的には、ハウジング本体１ａ内部に、格子状に延びる複数の補強リブ１５を設けて剛性の強化を図っている。
【００４２】
各補強リブ１５は、ハウジング本体１ａの底部上面から垂直に立ち上がる突起部をハウジング本体１ａ内部の対向する側壁面の間に連続的に設けたような、すなわち、ハウジング本体１ａの内部空間を仕切る壁のような形状を有している。複数の補強リブ１５は、ハウジング本体１ａの内部を複数の小さな空間に区画するように、ハウジング本体１ａ内部を水平方向の縦方向に並行して延びるものと、横方向に並行して延びるものとが互いに交差した構成となっている。なお、このような補強リブによって剛性を高める補強構造は、従来から種々の構成が知られている。本実施例では、内部空間が略矩形状となるように複数の補強リブが互いに直角に交差する構成としているが、例えば、三角形状やハニカム状となるような構成であっても構わない。
【００４３】
また、各補強リブ１５は、その上面がハウジングカバー１ｂの下面に当接してハウジングカバー１ｂを下方から支えるように構成されている。補強リブ１５の数や間隔、厚み等は、ハウジング本体１ａの形状や寸法等の仕様等に基づいて適宜設定される。また、補強リブ１５は、全体的に略同じ高さで設けられているが、後述するように電子回路基板１９が収容される箇所やリード線が配線される箇所においては、部分的に高さが低くなっている。
【００４４】
開口したハウジング本体１ａの上面には、補強リブ１５に支持されて足用電極１０Ｌ、１０Ｒ、１１Ｌ、１１Ｒが取り付けられる。なお、図４では、各電極を補強リブ１５に直接載せて取り付けるような態様で図示しているが、補強リブ１５との間にプレート材等を間に挟んで取り付けるようにしてもよい。また、ハウジング本体１ａの各脚部の内部には、荷重センサとしての歪ゲージ１３ａ、１３ｂ、１３ｃ、１３ｄが取り付けられている。
【００４５】
補強リブ１５には、高さを部分的に低くしたり、あるいは一部を切り欠いたような形状とすることによって形成される電子回路基板１９用の収容スペース１５ａが設けられている。なお、電子回路基板１９を収容する手法はこれに限られるものではなく、設計寸法上可能であれば、隣接する補強リブ１５の隙間に挿入して収容する方法でもよい。
【００４６】
電子回路基板１９は、不図示のリード線を介して各足用電極１０Ｌ、１０Ｒ、１１Ｌ、１１Ｒ及び歪ゲージ１３ａ、１３ｂ、１３ｃ、１３ｄが接続されている。また、電子回路
基板１９は、保持部２内部に収容されている電子回路基板にケーブル３を介して接続されており、該基板に設けられた制御回路（制御部２６）やインピーダンス測定回路（インピーダンス測定部２７）に対して各電極及び歪ゲージからの入力信号を増幅して出力する増幅回路等が形成されている。
【００４７】
図示を省略しているが、各足用電極１０Ｌ、１０Ｒ、１１Ｌ、１１Ｒ及び歪ゲージ１３ａ、１３ｂ、１３ｃ、１３ｄと、電子回路基板１９とを接続するリード線は、補強リブ１５の間の隙間や、補強リブ１５の一部に設けられた配線用の切り欠き部（不図示）等を縫うように延びている。
【００４８】
ハウジングカバー１ｂは、開口したハウジング本体１ａの上面に対応した平面形状を有する板状部材である。ハウジングカバー１ｂの上面は、被検者を載せる被荷重面であり、下面は補強リブ１５によって支持される。
【００４９】
また、ハウジングカバー１ｂには、ハウジング本体１ａにおける足用電極１０Ｌ、１０Ｒ、１１Ｌ、１１Ｒの取付位置に対応する４箇所に、上下に貫通した開口部１６ａ、１６ｂ、１６ｃ、１６ｄが設けられている。各開口部１６ａ、１６ｂ、１６ｃ、１６ｄは、各足用電極と略同じ平面形状及び大きさを有しており、ハウジング本体１ａに取り付けられた状態において、各足用電極の全体が被荷重面に露出するように設けられている。また、ハウジングカバー１ｂの厚みは、被検者がハウジングカバー１ｂの上面に載ったときに、足裏の一部が各足用電極に確実に接触するような厚さで設けられている。例えば、ハウジング本体１ａに取り付けられた状態において、ハウジングカバー１ｂの上面の高さが各足用電極の上面と略同じ高さとなるように設けられている。
【００５０】
＜本体ハウジングの組立工程＞
主に図５を参照して、本体１の組立工程について説明する。
【００５１】
本実施例に係る体重体組成計の本体１は、互いに配線を施して本体１に設けられる足用電極１０Ｌ、１０Ｒ、１１Ｌ、１１Ｒ、電子回路基板１９、歪ゲージ１３ａ、１３ｂ、１３ｃ、１３ｄが、全てハウジング本体１ａに取り付けられる構成としたことを特徴としている。
【００５２】
すなわち、図５（ａ）に示すように、ハウジング本体１ａは、まず、下面の各脚部に歪ゲージ１３ａ、１３ｂ、１３ｃ、１３ｄが取り付けられる。そして、これら歪ゲージとリード線１７ａ、１７ｂ、１７ｃ、１７ｄで接続された電子回路基板１９が、補強リブ１５に設けられた収容スペースに取り付けられる。詳細に図示していないが、各リード線１７ａ、１７ｂ、１７ｃ、１７ｄは、補強リブ１５の隙間や補強リブ１５の上部に設けられた配線用の切り欠き部（不図示）あるいは部分的に高さを低くした部分（不図示）を通して配線されている。
【００５３】
次に、図５（ｂ）に示すように、電子回路基板１９との間にリード線１８ａ、１８ｂ、１８ｃ、１８ｄが配線された足用電極１０Ｌ、１０Ｒ、１１Ｌ、１１Ｒが、補強リブ１５によって支持される形でハウジング本体１ａの上面に取り付けられる。これらリード線１８ａ、１８ｂ、１８ｃ、１８ｄも、リード線１７ａ、１７ｂ、１７ｃ、１７ｄと同様、補強リブ１５の隙間や補強リブ１５の上部に設けられた配線用の切り欠き部（不図示）あるいは部分的に高さを低くした部分（不図示）を通して配線されている。なお、図５（ｂ）では、リード線１７ａ、１７ｂ、１７ｃ、１７ｄの図示を省略している。
【００５４】
図５（ｃ）に示すように、足用電極１０Ｌ、１０Ｒ、１１Ｌ、１１Ｒ、電子回路基板１９、歪ゲージ１３ａ、１３ｂ、１３ｃ、１３ｄのハウジング本体１ａへの取付及び各部材
間の配線が終了した段階で、ハウジングカバー１ｂがハウジング本体１ａの上面を覆うように取り付けられる。
【００５５】
ここで、足用電極１０Ｌ、１０Ｒ、１１Ｌ、１１Ｒのリード線１８ａ、１８ｂ、１８ｃ、１８ｄとの接続及びハウジング本体１ａへの取り付けに関しては、ハウジングカバー１ｂをハウジング本体１ａに取り付けた後で行うようにしてもよい。すなわち、リード線１８ａ、１８ｂ、１８ｃ、１８ｄが電子回路基板１９にのみ接続された状態で、各リード線の足用電極に接続する側の端部をハウジングカバー１ｂの各開口部１６ａ、１６ｂ、１６ｃ、１６ｄから引き出すようにして、ハウジングカバー１ｂをハウジング本体１ａに取り付けることにより、ハウジングカバー１ｂが取り付けられた後で、各足用電極を各リード線と接続してハウジング本体１ｂに取り付けることができる。
【００５６】
＜本実施例の優れた点＞
本実施例によれば、体重体組成計の本体ハウジング全体が樹脂材料で構成されうるので、体重体組成計の軽量化、材料コストの低減を図ることができる。また、被検者の体重を支えるために必要な剛性を、ハウジング本体側に持たせて、その上面をハウジングカバーで覆う構成とすることにより、ハウジングカバーの設計の自由度を大きくすることができる。したがって、装置の外観に大きく影響する被荷重面のデザイン変更が容易となり、デザイン性に優れたものとすることができる。
【００５７】
また、ハウジングカバーを取り付ける前に、ハウジング本体側で電極、荷重センサ及び電子回路基板間の配線を全て完結させることができるので、従来のように、ハウジングカバーをハウジング本体に取り付ける際にハウジングカバーとハウジング本体と間がリード線でつながるような状態とならない。したがって、ハウジングカバーをハウジング本体に取り付ける際に、リード線がハウジングカバーとハウジング本体との接合面にかみ込まれることを防止することができる。
【００５８】
また、電極の取り付けに関しては、ハウジングカバーをハウジング本体に取り付けた後で行うこともできる。すなわち、ハウジングカバーが取り付けられた後で、電極を、ハウジングカバーの開口部を介して、電子回路基板と接続されたリード線と接続してハウジング本体に取り付けることができる。この場合、ハウジングカバーが既にハウジング本体に取り付けられているので、電極と電子回路基板とを接続するリード線がハウジングカバーとハウジング本体との接合面にかみ込まれる心配がない。
【００５９】
また、ハウジング本体内部に複数の補強リブを設けてハウジングの剛性を高める補強構造とすることで、樹脂材からなるハウジングの剛性を強化するとともに、ハウジングの軽量化を図ることができる。さらに、補強リブ間に形成される隙間を利用したり、補強リブの一部に設けられた切り欠き部や部分的に高さを低くした部分等を介してリード線を配線することにより、ハウジングの剛性強化及び軽量化と、リード線の位置決めとを同時に達成することができる。
【００６０】
したがって、体重体組成計の本体の組立性を向上させることができるとともに、装置の軽量化・低コスト化を図ることができる。
【００６１】
なお、上記実施例は本発明の一具体例を例示したものにすぎない。本発明の範囲は上記実施例に限られるものではなく、その技術思想の範囲内で種々の変形が可能である。
【００６２】
例えば、上記実施例では、体重体組成計の構成が本体と保持部とに分かれたタイプのものについて説明したが、これに限られるものではなく、制御部や表示部等を本体側に設けて足用電極のみでインピーダンス測定を行い、保持部を廃した構成のもの等の公知の種々
の構成に対して本発明を適用することができる。また、電極や荷重センサ等の配置についても、上記実施例の構成に限られるものではなく、適宜変更することができる。
【図面の簡単な説明】
【００６３】
【図１】体重体組成計全体の概略構成を示す模式図である。
【図２】体重体組成計の使用状態を示す模式図である。
【図３】体重体組成計の制御構成を示すブロック図である。
【図４】体重体組成計本体の模式的分解斜視図である。
【図５】体重体組成計本体の組立工程を説明する平面図である。
【図６】従来例に係る体重体組成計の本体ハウジングの分解斜視図である。
【符号の説明】
【００６４】
１   本体
１ａ ハウジング本体
１ｂ ハウジングカバー
１０Ｌ、１０Ｒ     足用電極
１１Ｌ、１１Ｒ     足用電極
１２ａ、１２ｂ、１２ｃ、１２ｄ   脚部
１３ａ、１３ｂ、１３ｃ、１３ｄ   歪ゲージ
１４ 保持部収納部
１５ 補強リブ
１５ａ      収容スペース
１６ａ、１６ｂ、１６ｃ、１６ｄ   開口部
１７ａ、１７ｂ、１７ｃ、１７ｄ   リード線
１８ａ、１８ｂ、１８ｃ、１８ｄ   リード線
１９ 電子回路基板
１９ａ      体重測定部
１９ｂ      インピーダンスインタフェース
２   保持部
２０Ｌ、２０Ｒ     グリップ
２１ 表示部
２２ 操作部
２４Ｌ、２４Ｒ     手用電極
２５Ｌ、２５Ｒ     手用電極
２６ 制御部
２７ インピーダンス測定部
２８ 記憶部
２９ 電源
３   ケーブル
【図１】
2010011985.tif 000003
【図２】
2010011985.tif 000004
【図３】
2010011985.tif 000005
【図４】
2010011985.tif 000006
【図５】
2010011985.tif 000007
【図６】
2010011985.tif 000008